(57)【要約】【課題】点滅する白黒の液晶パネルを利用して、昼間でもカラフルで効果的な表示効果が得られる点滅表示装置および点滅表示方法を提供する。【解決手段】表示物２の表示面に液晶パネル１を重合する。該液晶パネル１通電時に液晶パネル１で表示面を遮蔽し、液晶パネル１無通電時に透明になった液晶パネル１を通して表示面を表示させる。光反射性のシート又はフィルムに印刷して表示物２を設ける。表示物２と液晶パネル１と制御基盤３と太陽電池とを透明なエポキシ樹脂製の収納ケース５内に収納する。透明なエポキシ樹脂を被覆材６とし、該被覆材６を収納ケース５内に充填して収納ケース５を密閉する。【選択図】図１
2006208935.tif 000002
【特許請求の範囲】
【請求項１】
液晶パネルに通電する電源と液晶パネルを点滅制御する制御基盤とを備え、点滅する液晶パネルを用いて表示物に注意を惹くように表示する液晶パネル表示装置において、表示物の表示面に液晶パネルを重合し、該液晶パネル通電時に液晶パネルで表示面を遮蔽し、液晶パネル無通電時に透明になった液晶パネルを通して表示面を表示させ、液晶パネルの点滅に伴って表示物の表示面が点滅して見えるように設けたことを特徴とする液晶パネル表示装置。
【請求項２】
前記表示物は、光反射性のシート又はフィルムに印刷された表示面を有する請求項１記載の液晶パネル表示装置。
【請求項３】
前記表示物と液晶パネルと制御基盤と電源とを収納ケース内に収納し、液晶パネルの表面を覆う透明な被覆材で収納ケースを閉じるように設けた請求項１又は請求項２記載の液晶パネル表示装置。
【請求項４】
前記電源として太陽電池を用い、前記収納ケースを透明なエポキシ樹脂製とし、前記被覆材を透明なエポキシ樹脂とし、該被覆材を収納ケース内に充填して収納ケースを密閉した請求項３記載の液晶パネル表示装置。
【請求項５】
点滅する液晶パネルを用いて表示物に注意を惹くように表示する液晶パネル表示方法において、表示物の表示面に液晶パネルを重ね、該液晶パネル通電時に液晶パネルで表示面を遮蔽し、液晶パネル無通電時に透明になった液晶パネルを通して表示面を表示させ、液晶パネルの点滅に伴って表示物の表示面が点滅して見えるように表示することを特徴とする液晶パネル表示方法。
【発明の詳細な説明】
【技術分野】
【０００１】
本発明は、白黒の液晶を使用してカラフルな表示物を点滅させることができる点滅表示体および点滅表示方法に係り、例えばキーホルダーやマスコット等の小物用品から、店舗の宣伝用ディスプレーに至るまで利用できる点滅表示装置および点滅表示方法に関する。
【背景技術】
【０００２】
従来、液晶パネルを利用した広告板として特許文献１に記載された広告板が提案されている。この広告板は、デザイン化されていないセグメント電極を内蔵する液晶パネルを内蔵用ケースに設置し、この内蔵用ケース内に光源を配備し、この光源で液晶パネルを照射するものである。
【０００３】
また液晶を点滅表示する液晶広告媒体が引用文献２に記載されている。この広告媒体は、電極付きの基板間に液晶を挟持した液晶パネルを点滅させ、この液晶パネルの前面に図柄層を設けたものである。そして、図柄層の周辺を白黒に点滅させることで、人目を惹く広告媒体とするものである。
【０００４】
【特許文献１】特表２００３−５０７７５１号公報
【特許文献２】特開平８−１５６６５号公報
【発明の開示】
【発明が解決しようとする課題】
【０００５】
液晶を使用した特許文献１の広告板は、点滅する液晶表示パネルの前面に、偏光フィルムや屈折フィルムを定着して広告表示部を設けることで、この液晶表示パネルの点滅に伴って、広告表示部の周囲や文字・図柄等の明暗が交互に変わるようにしている。更に、液晶表示パネルの裏側に配置した光源で液晶パネルを照らすことで、広告表示を鮮明に表示しようとするものである。
【０００６】
ところが、この広告板では、液晶表示パネルの前面に、広告内容を示す広告表示部を設けているので、この広告表示部は、液晶パネルの光が透過するように設ける必要がある。そのため、偏光フィルムや不透明フィルムに広告表示部を設けたり、液晶表示パネルのスクリーン表面に直接表示したりする手段が採用されているが、いずれにしても、広告表示部は、液晶表示パネルによる背面からの光を透過して表示するので、特許文献１の広告板は、通常の印刷物をそのままの色彩や明度で表示することは困難であった。しかも、液晶パネルの照度が極めて低いので、昼間に使用する場合は、液晶表示パネルの裏側に配置した光源を利用する必要がある。このため、広告表示部から光源までにある程度の距離が必要となり、広告板の厚みが極めて厚くなる不都合もあった。
【０００７】
一方、特許文献２の広告媒体は、図柄層の後面に配した液晶パネルの点滅に伴って図柄層の周囲を白黒に点滅させ、あるいは図柄層自体の色や表示の濃さを変化させるものである。例えば、図柄層を形成するシートに遮光性シートを用いた場合は、図柄層の周囲の色が液晶パネルの点滅に伴って変化する広告になる。ところが、遮光性シートを用いて、図柄層の周囲の色が変化するものでは、常に図柄層が表出しており周囲の限られた部分のみが変化し、しかも昼間ではこの液晶パネルの照度が低いので、広告媒体として人目を惹く効果はあまり期待できない。
【０００８】
また、特許文献２において、また、図柄層を形成するシートに半透過性シートを用いると、周囲の変化と共に、図柄層の色や表示の濃さも変化するようになる。ところが、半透過性シートを用いて図柄層の色や表示の濃さも変化するように設けるには、偏光シートや屈折シートなどを用いなければ、図柄層を効果的に変化させることはできず、その分、図柄層の構成が複雑になってしまう。また、いずれのシートを用いたにしても、図柄層の裏面に配した液晶パネルの点滅によって図柄層を表示する構成であるから、液晶パネルの照度が低いために、昼間に十分な広告効果を得ることはできない。
【０００９】
そこで本発明は、上述の課題を解消すべく創出されたもので、点滅する白黒の液晶パネルを利用して、昼間でもカラフルで効果的な表示効果が得られ、しかも極めてシンプルでスリムな構成でありながら、表示物の表示手段を自由に選択することができる点滅表示装置および点滅表示方法の提供を目的とするものである。
【課題を解決するための手段】
【００１０】
本発明の第１の手段は、液晶パネル１に通電する電源４と液晶パネル１を点滅制御する制御基盤３とを備え、点滅する液晶パネル１を用いて表示物２に注意を惹くように表示する液晶パネル１表示装置において、表示物２の表示面に液晶パネル１を重合し、該液晶パネル１通電時に液晶パネル１で表示面を遮蔽し、液晶パネル１無通電時に透明になった液晶パネル１を通して表示面を表示させ、液晶パネル１の点滅に伴って表示物２の表示面が点滅して見えるように設けたことにある。
【００１１】
第２の手段の前記表示物２は、光反射性のシート又はフィルムに印刷された表示面を有するものである。
【００１２】
第３の手段は、前記表示物２と液晶パネル１と制御基盤３と電源４とを収納ケース５内に収納し、液晶パネル１の表面を覆う透明な被覆材６で収納ケース５を閉じるように設けている。
【００１３】
第４の手段は、前記電源４として太陽電池を用い、前記被覆材６を透明なエポキシ樹脂とし、該被覆材６を収納ケース５内に充填して収納ケース５を密閉している。
【００１４】
第５の手段は、点滅する液晶パネル１を用いて表示物２に注意を惹くように表示する液晶パネル表示方法において、表示物２の表示面に液晶パネル１を重ね、該液晶パネル１通電時に液晶パネル１で表示面を遮蔽し、液晶パネル１無通電時に透明になった液晶パネル１を通して表示面を表示させ、液晶パネル１の点滅に伴って表示物２の表示面が点滅して見えるように表示することを課題解消のための手段とする。
【発明の効果】
【００１５】
本発明の請求項１又は請求項５により、液晶パネル１無通電時に透明になった液晶パネル１を通して表示面を表示させ、液晶パネル１の点滅に伴って表示物２の表示面が点滅して見えるように設けたことで、昼間でもカラフルで効果的な表示効果が得られる。また、表示物２の表示面に液晶パネル１を重合するだけでよいので、極めてシンプルでスリムな構成にすることができる。しかも、表示物２は透明になった液晶パネル１を通して表示されるので、表示物の表示手段も自由に選択することができる。
【００１６】
請求項２により、光反射性のシート又はフィルムに表示面を印刷することで、液晶パネル１が透明になったときに、このシート又はフィルム自体の反射効果によって、表示物２の表示面をより効果的に表示させることができる。
【００１７】
請求項３では、各構成部材を収納ケース５内に収納し、液晶パネル１の表面を覆う透明な被覆材６で収納ケース５を閉じるように設けているので、極めてシンプルでスリムな構成にすることができる。この結果、本発明点滅表示装置を、例えばキーホルダーやアクセサリー等の小物用品に用いることが可能である。
【００１８】
請求項４により、電源４として太陽電池を用い、前記被覆材６を透明なエポキシ樹脂とし、該被覆材６を収納ケース５内に充填して収納ケース５を密閉することで、極めて密封効果が高く、しかも電源４の交換がなくても、光の届く場所において長期間点滅する点滅表示装置を提供することができる。
【００１９】
このように本発明によると、点滅する白黒の液晶パネルを利用して、昼間でもカラフルで効果的な表示効果が得られ、しかも極めてシンプルでスリムな構成でありながら、表示物の表示手段を自由に選択することができるといった有益な種々の効果を奏するものである。
【発明を実施するための最良の形態】
【００２０】
本発明の最良の形態は、表示物２の表示面に液晶パネル１を重合する。該液晶パネル１通電時に液晶パネル１で表示面を遮蔽し、液晶パネル１無通電時に透明になった液晶パネル１を通して表示面を表示させる。表示物２は、光反射性のシート又はフィルムに印刷されている。表示物２と液晶パネル１と制御基盤３と太陽電池とを透明なエポキシ樹脂製の収納ケース５内に収納する。液晶パネル１の表面を覆う透明なエポキシ樹脂製の被覆材６で収納ケース５を密封することで、当初の目的を達成するものである。
【実施例】
【００２１】
本発明は、点滅する液晶パネル１を用いて表示物２に周囲の注意を惹くように表示する表示装置及び表示方法である。
【００２２】
本発明表示装置の主要構成は、液晶パネル１、表示物２、制御基盤３、電源４にて構成され、制御基盤３と電源４は、液晶パネル１を点滅させるものである。通電時の液晶パネル１は、液晶がパネル前面を黒く表示し、無通電時に透明になる液晶パネル１を用いる。
【００２３】
点滅する液晶パネル１は、表示物２の表示面に重合する。そして、該液晶パネル１通電時に、黒く表示された液晶パネル１で表示面を遮蔽し、液晶パネル１無通電時に透明になった液晶パネル１を通して表示面を表示させるものである。このように、液晶パネル１の点滅に伴って表示物２の表示面が点滅して見えるように設けている。
【００２４】
表示物２は、任意の文字、図柄、絵、写真等を表示する部材で、紙材や合成樹脂材、金属材など、任意のシートやフィルムを使用することができる。また、表示面に当たる光によって表示が見えるようにしているので、仕切り２の材質に、透光性のシートやフィルムを使用する必要はない。更に、表示面に当たる光をより効果的に反射せしめる材質、所謂光反射性のシート又はフィルムに印刷された表示面を設けることで、表示面が反射して、あたかも、表示面が点滅しているかの如き状態になり、より高い表示効果を得ることができる。
【００２５】
図中符号５は収納ケースであり、表示物２と液晶パネル１とを収納する。図示の収納ケース５は、更に制御基盤３と電源４をセットにして収納してある。また、収納ケース５の開口部を透明な被覆材６で閉じ、この被覆材６で液晶パネル１の表面を覆うように設けている。この際、電源４に太陽電池を用いることで、電池交換の必要がない表示装置を提供することができる。図示例では、前記被覆材６を透明なエポキシ樹脂とし、該被覆材６を収納ケース５内に充填して収納ケース５を密閉することで、防水効果や防塵効果に優れた表示装置の提供も可能になる。このような構成の本発明表示装置によると、例えばキーホルダーなどの小物製品に、点滅表示機能を付与することが可能になり、また、ショーウィンドウのディスプレーや料金表など、あらゆる広告表示を効果的に表示できるので、その用途や転用の可能性は極めて広いものである。
【００２６】
本発明表示方法は、点滅する液晶パネル１を用いて表示物２に注意を惹くように表示するものである。そのため、表示物２の表示面に液晶パネル１を重ねることにある。そして、液晶パネル１通電時に液晶パネル１で表示面を遮蔽し、液晶パネル１無通電時に透明になった液晶パネル１を通して表示面を表示させる方法であり、液晶パネル１の点滅に伴って表示物２の表示面が点滅して見えるように表示される。したがって、従来の表示方法のように、表示物２の裏面から光を通して表示する方法と全く異なる方法となっている。すなわち、もともと見易い表示物２を遮蔽し、視線を遮断することで、点滅表示するといった全く逆の方法を採用している。この結果、周囲が明るいほど効果的な表示効果が得られ、液晶パネルの照度が低いために、昼間に十分な広告効果を得ることはできないといった状来の問題点は解消されたものである。
【００２７】
尚、本発明における図示例の各構成は、本発明の一実施例に過ぎず、各構成部材の形状、寸法等の設計変更、形態の変更など、現在知られている技術範囲で自由に変更することができるものである。
【図面の簡単な説明】
【００２８】
【図１】本発明の一実施例を示す分解斜視図である。
【図２】本発明液晶パネルが無通電時に透明になった状態を示す斜視図である。
【図３】本発明液晶パネルが通電時に表示物を遮蔽した状態を示す斜視図である。
【符号の説明】
【００２９】
１  液晶パネル
２  表示物      
３  制御基盤
４  電源
５  収納ケース
６  被覆材
【図１】
2006208935.tif 000003
【図２】
2006208935.tif 000004
【図３】
2006208935.tif 000005
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
表示物の表示面に液晶パネルを重合し、該液晶パネル通電時に液晶パネルで表示面を遮蔽し、液晶パネル無通電時に透明になった液晶パネルを通して表示面を表示させ、液晶パネルの点滅に伴って表示物の表示面が点滅して見えるように設けた液晶パネル表示装置において、該液晶パネル表示装置の表示面側から液晶パネル、表示物、制御基盤の順序で透明な収納ケース内に収納すると共に、該液晶パネルに通電する太陽電池からなる電源を収納ケース内に収納し、液晶パネルの表面を覆う透明なエポキシ樹脂製の被覆材を収納ケース内に充填して収納ケースを密閉し、液晶パネルの表面を覆う透明なエポキシ樹脂製の被覆材を通して表示物の表示面を表示するように設けたことを特徴とする液晶パネル表示装置。
【請求項２】
前記表示物は、光反射性のシート又はフィルムに印刷された表示面を有する請求項１記載の液晶パネル表示装置。
【請求項３】
表示物の表示面に液晶パネルを重ね、該液晶パネル通電時に液晶パネルで表示面を遮蔽し、液晶パネル無通電時に透明になった液晶パネルを通して表示面を表示させ、液晶パネルの点滅に伴って表示物の表示面が点滅して見えるように表示する液晶パネル表示方法において、透明な収納ケースに収納された太陽電池の電源と制御基板とで液晶パネルを点滅制御し、液晶パネルの表面を覆う透明なエポキシ樹脂製の被覆材を通して表示面を表示させることを特徴とする液晶パネル表示方法。
【手続補正２】
【補正対象書類名】明細書
【補正対象項目名】全文
【補正方法】変更
【補正の内容】
【発明の詳細な説明】
【技術分野】
【０００１】
本発明は、白黒の液晶を使用してカラフルな表示物を点滅させることができる点滅表示体および点滅表示方法に係り、例えばキーホルダーやマスコット等の小物用品から、店舗の宣伝用ディスプレーに至るまで利用できる点滅表示装置および点滅表示方法に関する。
【背景技術】
【０００２】
従来、液晶パネルを利用した広告板として特許文献１に記載された広告板が提案されている。この広告板は、デザイン化されていないセグメント電極を内蔵する液晶パネルを内蔵用ケースに設置し、この内蔵用ケース内に光源を配備し、この光源で液晶パネルを照射するものである。
【０００３】
また液晶を点滅表示する液晶広告媒体が引用文献２に記載されている。この広告媒体は、電極付きの基板間に液晶を挟持した液晶パネルを点滅させ、この液晶パネルの前面に図柄層を設けたものである。そして、図柄層の周辺を白黒に点滅させることで、人目を惹く広告媒体とするものである。
【０００４】
【特許文献１】特表２００３−５０７７５１号公報
【特許文献２】特開平８−１５６６５号公報
【発明の開示】
【発明が解決しようとする課題】
【０００５】
液晶を使用した特許文献１の広告板は、点滅する液晶表示パネルの前面に、偏光フィルムや屈折フィルムを定着して広告表示部を設けることで、この液晶表示パネルの点滅に伴って、広告表示部の周囲や文字・図柄等の明暗が交互に変わるようにしている。更に、液晶表示パネルの裏側に配置した光源で液晶パネルを照らすことで、広告表示を鮮明に表示しようとするものである。
【０００６】
ところが、この広告板では、液晶表示パネルの前面に、広告内容を示す広告表示部を設けているので、この広告表示部は、液晶パネルの光が透過するように設ける必要がある。そのため、偏光フィルムや不透明フィルムに広告表示部を設けたり、液晶表示パネルのスクリーン表面に直接表示したりする手段が採用されているが、いずれにしても、広告表示部は、液晶表示パネルによる背面からの光を透過して表示するので、特許文献１の広告板は、通常の印刷物をそのままの色彩や明度で表示することは困難であった。しかも、液晶パネルの照度が極めて低いので、昼間に使用する場合は、液晶表示パネルの裏側に配置した光源を利用する必要がある。このため、広告表示部から光源までにある程度の距離が必要となり、広告板の厚みが極めて厚くなる不都合もあった。
【０００７】
一方、特許文献２の広告媒体は、図柄層の後面に配した液晶パネルの点滅に伴って図柄層の周囲を白黒に点滅させ、あるいは図柄層自体の色や表示の濃さを変化させるものである。例えば、図柄層を形成するシートに遮光性シートを用いた場合は、図柄層の周囲の色が液晶パネルの点滅に伴って変化する広告になる。ところが、遮光性シートを用いて、図柄層の周囲の色が変化するものでは、常に図柄層が表出しており周囲の限られた部分のみが変化し、しかも昼間ではこの液晶パネルの照度が低いので、広告媒体として人目を惹く効果はあまり期待できない。
【０００８】
また、特許文献２において、また、図柄層を形成するシートに半透過性シートを用いると、周囲の変化と共に、図柄層の色や表示の濃さも変化するようになる。ところが、半透過性シートを用いて図柄層の色や表示の濃さも変化するように設けるには、偏光シートや屈折シートなどを用いなければ、図柄層を効果的に変化させることはできず、その分、図柄層の構成が複雑になってしまう。また、いずれのシートを用いたにしても、図柄層の裏面に配した液晶パネルの点滅によって図柄層を表示する構成であるから、液晶パネルの照度が低いために、昼間に十分な広告効果を得ることはできない。
【０００９】
そこで本発明は、上述の課題を解消すべく創出されたもので、点滅する白黒の液晶パネルを利用して、昼間でもカラフルで効果的な表示効果が得られ、しかも極めてシンプルでスリムな構成でありながら、表示物の表示手段を自由に選択することができる点滅表示装置および点滅表示方法の提供を目的とするものである。
【課題を解決するための手段】
【００１０】
本発明の第１の手段は、表示物２の表示面に液晶パネル１を重合し、該液晶パネル１通電時に液晶パネル１で表示面を遮蔽し、液晶パネル１無通電時に透明になった液晶パネル１を通して表示面を表示させ、液晶パネル１の点滅に伴って表示物２の表示面が点滅して見えるように設けた液晶パネル表示装置において、該液晶パネル表示装置の表示面側から液晶パネル１、表示物２、制御基盤３の順序で透明な収納ケース５内に収納すると共に、該液晶パネルに通電する太陽電池からなる電源４を収納ケース５内に収納し、液晶パネル１の表面を覆う透明なエポキシ樹脂製の被覆材６を収納ケース５に充填して収納ケース５を密閉し、液晶パネル１の表面を覆う透明なエポキシ樹脂製の被覆材６を通して表示物２の表示面を表示するように設けたことにある。
【００１１】
第２の手段の前記表示物２は、光反射性のシート又はフィルムに印刷された表示面を有するものである。
【００１２】
第３の手段は、表示物２の表示面に液晶パネル１を重ね、該液晶パネル１通電時に液晶パネル１で表示面を遮蔽し、液晶パネル１無通電時に透明になった液晶パネル１を通して表示面を表示させ、液晶パネル１の点滅に伴って表示物２の表示面が点滅して見えるように表示する液晶パネル表示方法において、透明な収納ケース５に収納された太陽電池の電源４と制御基板３とで液晶パネル１を点滅制御し、液晶パネル１の表面を覆う透明なエポキシ樹脂製の被覆材６を通して表示面を表示させることを課題解消のための手段とする。
【発明の効果】
【００１３】
本発明の請求項１又は請求項３により、液晶パネル１無通電時に透明になった液晶パネル１を通して表示面を表示させ、液晶パネル１の点滅に伴って表示物２の表示面が点滅して見えるように設けたことで、昼間でもカラフルで効果的な表示効果が得られる。また、表示物２の表示面に液晶パネル１を重合するだけでよいので、極めてシンプルでスリムな構成にすることができる。しかも、表示物２は透明になった液晶パネル１を通して表示されるので、表示物の表示手段も自由に選択することができる。
【００１４】
また、各構成部材を収納ケース５内に収納し、液晶パネル１の表面を覆う透明なエポキシ樹脂製の被覆材６で収納ケース５を閉じるように設けているので、極めてシンプルでスリムな構成にすることができる。この結果、本発明点滅表示装置を、例えばキーホルダーやアクセサリー等の小物用品に用いることが可能である。
【００１５】
更に、電源４として太陽電池を用い、前記被覆材６を透明なエポキシ樹脂とし、該被覆材６を透明な収納ケース５内に充填して収納ケース５を密閉することで、極めて密封効果が高く、しかも電源４の交換がなくても、光の届く場所において長期間点滅する点滅表示装置を提供することができる。
【００１６】
請求項２により、光反射性のシート又はフィルムに表示面を印刷することで、液晶パネル１が透明になったときに、このシート又はフィルム自体の反射効果によって、表示物２の表示面をより効果的に表示させることができる。
【００１７】
このように本発明によると、点滅する白黒の液晶パネルを利用して、昼間でもカラフルで効果的な表示効果が得られ、しかも極めてシンプルでスリムな構成でありながら、表示物の表示手段を自由に選択することができるといった有益な種々の効果を奏するものである。
【発明を実施するための最良の形態】
【００１８】
本発明の最良の形態は、表示物２の表示面に液晶パネル１を重合する。該液晶パネル１通電時に液晶パネル１で表示面を遮蔽し、液晶パネル１無通電時に透明になった液晶パネル１を通して表示面を表示させる。表示物２は、光反射性のシート又はフィルムに印刷されている。表示物２と液晶パネル１と制御基盤３と太陽電池とを透明なエポキシ樹脂製の収納ケース５内に収納する。液晶パネル１の表面を覆う透明なエポキシ樹脂製の被覆材６で収納ケース５を密封することで、当初の目的を達成するものである。
【実施例】
【００１９】
本発明は、点滅する液晶パネル１を用いて表示物２に周囲の注意を惹くように表示する表示装置及び表示方法である。
【００２０】
本発明表示装置の主要構成は、液晶パネル１、表示物２、制御基盤３、電源４にて構成され、制御基盤３と電源４は、液晶パネル１を点滅させるものである。通電時の液晶パネル１は、液晶がパネル前面を黒く表示し、無通電時に透明になる液晶パネル１を用いる。
【００２１】
点滅する液晶パネル１は、表示物２の表示面に重合する。そして、該液晶パネル１通電時に、黒く表示された液晶パネル１で表示面を遮蔽し、液晶パネル１無通電時に透明になった液晶パネル１を通して表示面を表示させるものである。このように、液晶パネル１の点滅に伴って表示物２の表示面が点滅して見えるように設けている。
【００２２】
表示物２は、任意の文字、図柄、絵、写真等を表示する部材で、紙材や合成樹脂材、金属材など、任意のシートやフィルムを使用することができる。また、表示面に当たる光によって表示が見えるようにしているので、仕切り２の材質に、透光性のシートやフィルムを使用する必要はない。更に、表示面に当たる光をより効果的に反射せしめる材質、所謂光反射性のシート又はフィルムに印刷された表示面を設けることで、表示面が反射して、あたかも、表示面が点滅しているかの如き状態になり、より高い表示効果を得ることができる。
【００２３】
図中符号５は収納ケースであり、表示物２と液晶パネル１とを収納する。図示の収納ケース５は、更に制御基盤３と電源４をセットにして収納してある。また、収納ケース５の開口部を透明な被覆材６で閉じ、この被覆材６で液晶パネル１の表面を覆うように設けている。この際、電源４に太陽電池を用いることで、電池交換の必要がない表示装置を提供することができる。図示例では、前記被覆材６を透明なエポキシ樹脂とし、該被覆材６を収納ケース５内に充填して収納ケース５を密閉することで、防水効果や防塵効果に優れた表示装置の提供も可能になる。このような構成の本発明表示装置によると、例えばキーホルダーなどの小物製品に、点滅表示機能を付与することが可能になり、また、ショーウィンドウのディスプレーや料金表など、あらゆる広告表示を効果的に表示できるので、その用途や転用の可能性は極めて広いものである。
【００２４】
本発明表示方法は、点滅する液晶パネル１を用いて表示物２に注意を惹くように表示するものである。そのため、表示物２の表示面に液晶パネル１を重ねることにある。そして、液晶パネル１通電時に液晶パネル１で表示面を遮蔽し、液晶パネル１無通電時に透明になった液晶パネル１を通して表示面を表示させる方法であり、液晶パネル１の点滅に伴って表示物２の表示面が点滅して見えるように表示される。したがって、従来の表示方法のように、表示物２の裏面から光を通して表示する方法と全く異なる方法となっている。すなわち、もともと見易い表示物２を遮蔽し、視線を遮断することで、点滅表示するといった全く逆の方法を採用している。この結果、周囲が明るいほど効果的な表示効果が得られ、液晶パネルの照度が低いために、昼間に十分な広告効果を得ることはできないといった従来の問題点は解消されたものである。
【００２５】
尚、本発明における図示例の各構成は、本発明の一実施例に過ぎず、各構成部材の形状、寸法等の設計変更、形態の変更など、現在知られている技術範囲で自由に変更することができるものである。
【図面の簡単な説明】
【００２６】
【図１】本発明の一実施例を示す分解斜視図である。
【図２】本発明液晶パネルが無通電時に透明になった状態を示す斜視図である。
【図３】本発明液晶パネルが通電時に表示物を遮蔽した状態を示す斜視図である。
【符号の説明】
【００２７】
１  液晶パネル
２  表示物      
３  制御基盤
４  電源
５  収納ケース
６  被覆材